(57)【要約】【課題】より簡単な構造で複数の照明装置を連携して動作させることが可能な照明制御装置および照明装置を提供する。【解決手段】照明制御装置１０は、センサ装置２０からのセンサ信号が入力される入力端子部２と、照明器具３０の点灯状態を制御する制御信号を照明器具３０へ出力する出力端子部３と、を備えている。照明制御装置１０は、他の照明器具４０の制御装置４１と一対の信号線４を介して接続され、照明器具３０と他の照明器具４０とを連携して制御する連携信号が一対の信号線４から入力される連携入力部６を備えている。照明制御装置１０は、センサ信号に基づき一対の信号線４へ連携信号を出力する連携出力部７と、入力端子部２と出力端子部３とに電気的に接続された論理和回路部８と、を備えている。論理和回路部８は、センサ信号または連携信号のいずれか一方が入力されることで制御信号を出力端子部３に出力させる。【選択図】図１
2017004653.tif 000002
【特許請求の範囲】
【請求項１】
センサ装置と照明器具とに接続され前記センサ装置からのセンサ信号を前記照明器具に転送する照明制御装置であって、
直流電源と、
前記センサ信号が入力される入力端子部と、
前記照明器具の点灯状態を制御する制御信号を前記照明器具へ出力する出力端子部と、
前記照明器具とは異なる他の照明器具の点灯状態を制御する制御装置と一対の信号線を介して電気的に接続されており、前記照明器具と前記他の照明器具とを連携して制御する連携信号が前記一対の信号線から入力される連携入力部と、
前記センサ信号に基づき前記一対の信号線へ前記連携信号を出力する連携出力部と、
前記入力端子部と前記出力端子部とに電気的に接続された論理和回路部と、を備え、
前記直流電源は、正極端子を前記一対の信号線のうちの第１信号線と電気的に接続しており、
前記連携入力部は、前記一対の信号線を短絡する状態と短絡しない状態とに切り替える第１スイッチと、前記一対の信号線のいずれか一方に流れる前記連携信号を前記論理和回路部に伝達する信号伝達部と、を有し、前記第１スイッチと前記信号伝達部とが電気的に直列に接続されており、
前記連携出力部は、前記一対の信号線へ前記連携信号を出力するか否かを決める第２スイッチと、前記センサ信号に基づいて前記連携信号を出力する第２信号伝達部と、を有し、前記一対の信号線のうちの第２信号線と前記直流電源の負極端子とを前記第２スイッチと前記第２信号伝達部の直列回路を介して電気的に接続させており、
前記論理和回路部は、前記センサ信号または前記連携信号のいずれか一方が入力されることで前記制御信号を前記出力端子部に出力させることを特徴とする照明制御装置。
【請求項２】
請求項１に記載の照明制御装置と、
前記照明制御装置と電気的に接続された前記照明器具と、
前記照明制御装置と電気的に接続された前記センサ装置と、を備えることを特徴とする照明装置。
【発明の詳細な説明】
【技術分野】
【０００１】
本発明は、照明制御装置および照明装置に関し、特に、他の照明装置と連携して動作可能な照明制御装置および照明制御装置を用いた照明装置に関する。
【背景技術】
【０００２】
従来、複数の照明装置を連携して動作させる照明システムが利用されている。
【０００３】
この種の照明システムとしては、複数の照明器具からなり、各照明器具に隣接配置された照明器具の点灯状態の変化で点灯／消灯を検知する照度センサを備えた照明装置を有する構成が知られている（たとえば、特許文献１）。
【０００４】
特許文献１の照明システムでは、隣接した同じ構成の照明器具の照明負荷が人感センサに基づいて点灯されると、点灯を照度センサの検出照度の変化で検出する。照明システムは、照度センサの検出照度の変化を検出することで、隣接した照明器具が点灯したと認識し、制御部が照明負荷を連動点灯させるように構成されている。
【０００５】
別の照明システムとしては、自身のセンサと、二つの接続端子を介して電気接続された他のセンサ装置のセンサとのいずれかが作動した場合、センサ作動信号を出力することで相互に連携して照明装置を点灯させる構成が知られている（たとえば、特許文献２）。
【０００６】
特許文献２の照明システムに用いられるセンサ装置は、スイッチング素子と、第一の接続端子と、第二の接続端子と、信号出力回路と、を有しており、スイッチング素子は、人感センサが作動した場合にオンになる。第二の接続端子は、スイッチング素子を介して、第一の接続端子と電気接続している。信号出力回路は、二つの接続端子の間の電位差が所定の閾値より小さい場合にセンサ作動信号を出力するように構成されている。
【先行技術文献】
【特許文献】
【０００７】
【特許文献１】特開平１０−１６２９６９号公報
【特許文献２】特開２０１３−１４００５６号公報
【発明の概要】
【発明が解決しようとする課題】
【０００８】
ところで、照明システムでは、より簡単な構造で複数の照明装置を連携して動作させる構成が求められており、上述の照明装置の構成だけでは十分でなく、更なる改良が求められている。
【０００９】
本発明の目的は、より簡単な構造で複数の照明装置を連携して動作させることが可能な照明制御装置および照明装置を提供することにある。
【課題を解決するための手段】
【００１０】
本発明の照明制御装置は、センサ装置と照明器具とに接続され、上記センサ装置からのセンサ信号を上記照明器具に転送するように構成されている。上記照明制御装置は、直流電源と、入力端子部と、出力端子部と、連携入力部と、連携出力部と、論理和回路部と、を備えている。上記入力端子部は、上記センサ信号が入力されるように構成されている。上記出力端子部は、上記照明器具の点灯状態を制御する制御信号を上記照明器具へ出力するように構成されている。上記連携入力部は、上記照明器具とは異なる他の照明器具の点灯状態を制御する制御装置と一対の信号線を介して電気的に接続されている。上記連携入力部は、上記照明器具と上記他の照明器具とを連携して制御する連携信号が上記一対の信号線から入力される。上記連携出力部は、上記センサ信号に基づき上記一対の信号線へ上記連携信号を出力する。上記論理和回路部は、上記入力端子部と、上記出力端子部と、に電気的に接続されている。上記直流電源は、正極端子を上記一対の信号線のうちの第１信号線と電気的に接続している。上記連携入力部は、第１スイッチと、第１信号伝達部と、を有している。上記第１スイッチは、上記一対の信号線を短絡する状態と短絡しない状態とに切り替えることができるように構成されている。上記第１信号伝達部は、上記一対の信号線のいずれか一方に流れる上記連携信号を上記論理和回路部に伝達する。上記連携入力部は、上記第１スイッチと上記第１信号伝達部とが電気的に直列に接続されている。上記連携出力部は、第２スイッチと、第２信号伝達部と、を有している。上記第２スイッチは、上記一対の信号線へ上記連携信号を出力するか否かを決められるように構成されている。上記第２信号伝達部は、上記センサ信号に基づいて上記連携信号を出力する。上記連携出力部は、上記一対の信号線のうちの第２信号線と、上記直流電源の負極端子とを、上記第２スイッチと上記第２信号伝達部の直列回路を介して、電気的に接続させている。上記論理和回路部は、上記センサ信号または上記連携信号のいずれか一方が入力されることで上記制御信号を上記出力端子部に出力させることを特徴とする。
【００１１】
本発明の照明装置は、上述の照明制御装置と、上記照明制御装置と電気的に接続された上記照明器具と、上記照明制御装置と電気的に接続された上記センサ装置と、を備えることを特徴とする。
【発明の効果】
【００１２】
本発明の照明制御装置は、より簡単な構造で複数の照明装置を連携して動作させることが可能となる。
【００１３】
本発明の照明装置は、より簡単な構造で複数の照明装置を連携して動作させることが可能となる。
【図面の簡単な説明】
【００１４】
【図１】実施形態１の照明制御装置を備えた照明システムを示す模式的回路図である。
【図２】実施形態１における照明システムを示す模式図である。
【図３】実施形態１における照明システムの要部の動作を説明する動作説明図である。
【図４】実施形態１における照明システムの点灯動作を説明する動作説明図である。
【図５】実施形態１における照明システムの別の点灯動作を説明する動作説明図である。
【図６】実施形態２の照明制御装置を備えた照明システムを示す模式的回路図である。
【発明を実施するための形態】
【００１５】
（実施形態１）
以下では、本実施形態の照明制御装置１０および照明システム５０について、図１ないし図５を参照して説明する。図中においては、同じ部材に対し、同じ符号を付して重複する説明を省略する。各図面が示す部材の大きさや位置関係は、説明を明確にするために誇張していることがある。以下の説明において、本実施形態を構成する各要素は、複数の要素を一の部材で構成して一の部材で複数の要素を兼用する態様としてもよいし、一の部材の機能を複数の部材で分担して実現してもよい。
【００１６】
本実施形態の照明制御装置１０は、図１に示すように、センサ装置２０と照明器具３０とに接続され、センサ装置２０からのセンサ信号を照明器具３０に転送するように構成されている。照明制御装置１０は、直流電源１と、入力端子部２と、出力端子部３と、連携入力部６と、連携出力部７と、論理和回路部８と、を備えている。入力端子部２は、センサ信号が入力されるように構成されている。出力端子部３は、照明器具３０の点灯状態を制御する制御信号を照明器具３０へ出力するように構成されている。連携入力部６は、照明器具３０とは異なる他の照明器具４０の点灯状態を制御する制御装置４１と一対の信号線４を介して電気的に接続されている。以下では、他の照明器具４０と制御装置４１とを合わせて照明装置５２と称し、照明制御装置１０とセンサ装置２０と照明器具３０とを合わせて照明装置５２と称することもある。
【００１７】
連携入力部６は、照明器具３０と他の照明器具４０とを連携して制御する連携信号が一対の信号線４から入力される。連携出力部７は、センサ信号に基づき一対の信号線４へ連携信号を出力する。論理和回路部８は、入力端子部２と、出力端子部３と、に電気的に接続されている。直流電源１は、正極端子１ａを一対の信号線４のうちの第１信号線４ａと電気的に接続している。連携入力部６は、第１スイッチ６ａと、第１信号伝達部６ｂと、を有している。第１スイッチ６ａは、一対の信号線４を短絡する状態と短絡しない状態とに切り替えることができるように構成されている。第１信号伝達部６ｂは、一対の信号線４のいずれか一方に流れる連携信号を論理和回路部８に伝達する。連携入力部６は、第１スイッチ６ａと第１信号伝達部６ｂとが電気的に直列に接続されている。
【００１８】
連携出力部７は、第２スイッチ７ａと、第２信号伝達部７ｂと、を有している。第２スイッチ７ａは、一対の信号線４へ連携信号を出力するか否かを決められるように構成されている。第２信号伝達部７ｂは、センサ信号に基づいて連携信号を出力する。連携出力部７は、一対の信号線４のうちの第２信号線４ｂと、直流電源１の負極端子１ｂとを、第２スイッチ７ａと第２信号伝達部７ｂの直列回路を介して、電気的に接続させている。論理和回路部８は、センサ信号または連携信号のいずれか一方が入力されることで制御信号を出力端子部３に出力させる。
【００１９】
本実施形態の照明制御装置１０は、論理和回路部８がセンサ信号または連携信号のいずれか一方が入力された場合、制御信号を出力端子部３に出力させる比較的に簡単な構造で、複数の照明装置５２を連携して動作させることができる。
【００２０】
以下では、最初に、本実施形態におけるセンサ装置２０と照明器具３０の構成について、それぞれ説明する。
【００２１】
センサ装置２０は、図１に示すように、人感知センサ２１と、切替スイッチ部２２と、センサ端子部２３と、を備えている。
【００２２】
人感知センサ２１は、人の存在の有無を感知することができるように構成されている。人感知センサ２１は、焦電素子と、焦電素子からの信号を信号処理するセンサ信号処理部と、を備えている。人感知センサ２１は、焦電素子が受光した赤外線の変化が一定の値以上の場合に、センサ信号がハイレベルとなるように構成している。人感知センサ２１は、人の存在がする場合にセンサ信号がハイレベルとなるので、人の存在の有無を感知することができる。人感知センサ２１は、焦電素子を用いた構造だけに限られず、超音波、可視光などの各種の媒体を用いて、人が存在する場合にセンサ信号を出力する構造としてもよい。
【００２３】
切替スイッチ部２２は、照明器具３０の動作モードを切り替えることができるように構成されている。切替スイッチ部２２は、切替スイッチ２２ａと、複数の抵抗器２２ｂと、を備えている。切替スイッチ部２２は、切替スイッチ２２ａと、それぞれの抵抗値が異なる複数の抵抗器２２ｂとが択一的に接続されるように構成されている。切替スイッチ部２２は、切替スイッチ２２ａの摘みが操作された操作位置に応じて、抵抗値の異なる抵抗器２２ｂが択一的に選択される。切替スイッチ部２２は、抵抗値が異なる抵抗器２２ｂを択一的に選択して分圧比を変えることで、電圧レベルの値が異なる所定の電圧信号を出力できるように構成されている。切替スイッチ部２２は、切替スイッチ２２ａの摘みが操作された操作位置に応じた電圧信号で、照明器具３０の動作モードを変更させることができる。照明器具３０は、それぞれの電圧レベルに対応した動作モードで動作する。
【００２４】
照明器具３０の動作モードとしては、消灯モード、減光モードや点灯保持モードなどが挙げられる。消灯モードは、センサ装置２０において人が感知されない場合、照明器具３０が直ちに消灯する。減光モードは、センサ装置２０において人が感知されない場合、照明器具３０が減光して点灯を維持する。点灯保持モードは、所定の点灯保持時間の間、照明器具３０の点灯を保持した後、消灯する。動作モードとしては、消灯モード、減光モードや点灯保持モードだけに限られず、点灯保持モードにおける点灯保持時間を所定の長さに切り替える切替モードであってもよい。
【００２５】
センサ端子部２３は、人感知センサ２１からのセンサ信号を外部に出力する。センサ端子部２３は、切替スイッチ部２２からの電圧信号を外部に出力する。センサ端子部２３は、外部から動作用の電力が給電されるように構成されている。センサ端子部２３は、たとえば、照明器具３０から動作用の電力が給電されるように構成されている。センサ端子部２３は、各種のコネクタを用いて構成することができる。センサ装置２０は、外部から駆動用の電力が給電される構成だけに限られず、駆動用の電源を内蔵していてもよい。センサ装置２０は、人感知センサ２１を備える構成だけに限られず、照度センサなど各種のセンサ部を備えた構成としてもよい。センサ装置２０は、たとえば、照度センサの検出値が所定の照度以下の場合に人の存在の有無を感知させる構成としてもよい。
【００２６】
照明器具３０は、図１に示すように、電源回路部３１と、電源制御部３２と、照明端子３３と、光源用端子３４と、光源部３５と、を備えている。
【００２７】
電源回路部３１は、光源部３５に給電することができるように構成されている。電源回路部３１は、チョッパ回路を有するスイッチング電源部と、スイッチング電源部を駆動する駆動回路部と、を備えている。電源回路部３１は、スイッチングのデューティ比に応じて、光源部３５への給電を増減させることができる。
【００２８】
電源制御部３２は、光源部３５を点灯、消灯や調光できるように、電源回路部３１を制御する。電源制御部３２は、適宜のプログラムに基づいて駆動するマイクロコンピュータを用いることができる。電源制御部３２は、ＰＷＭ(pulse width modulation)の調光信号により、電源回路部３１を制御することができる。
【００２９】
照明端子３３は、照明制御装置１０の出力端子部３と電気的に接続できるように構成されている。照明端子３３は、各種のコネクタを用いて構成することができる。照明端子３３は、照明制御装置１０の代わりに、センサ装置２０のセンサ端子部２３と電気的に接続できるようにも構成されている。照明端子３３は、照明制御装置１０と直接接続される場合、制御信号が入力される。照明端子３３は、センサ装置２０と直接接続される場合、センサ信号が入力される。照明端子３３は、照明制御装置１０から動作用の電力が給電されるように構成されてもよいし、センサ装置２０や照明制御装置１０に動作用の電力を給電できるように構成されていてもよい。
【００３０】
光源用端子３４は、光源部３５と電気的に接続できるように構成されている。光源用端子３４は、各種のコネクタを用いて構成することができる。照明器具３０は、光源部３５を内蔵している場合、必ずしも光源用端子３４が必要ではない。光源部３５は、一乃至複数のＬＥＤ(light emitting diode)３５ａを電気的に直列接続して構成している。光源部３５は、複数のＬＥＤ３５ａを直並列接続や並列接続して構成してもよい。光源部３５は、ＬＥＤ３５ａを用いた構成だけに限られず、有機エレクトロルミネッセンス素子や放電灯などを用いて構成されていてもよい。
【００３１】
以下では、本実施形態の照明制御装置１０の構成について、図１および図２を用いて、より具体的に説明する。
【００３２】
照明制御装置１０は、直流電源１と入力端子部２と出力端子部３と連携入力部６と連携出力部７と論理和回路部８とに加え、電流制限部５と、第１信号端子部４ｃと、第２信号端子部４ｄと、を備えている。照明制御装置１０は、センサ装置２０のセンサ端子部２３を入力端子部２と接続させ、出力端子部３を照明器具３０の照明端子３３と接続できるように構成されている。
【００３３】
直流電源１は、一対の信号線４の間に電圧を印加させることができるように構成されている。直流電源１は、外部電源５１からの電力を所定の直流電力に変換できるように構成されている。外部電源５１には、たとえば、商用交流電源を用いることができる。直流電源１は、各種の整流回路、ＡＣ／ＤＣコンバータなどを備えた構成とすることができる。直流電源１は、一次電池や二次電池を用いて構成してもよい。
【００３４】
入力端子部２は、第１入力端子２ａと、第２入力端子２ｂと、第３入力端子２ｃと、第４入力端子２ｄと、を備えている。入力端子部２は、各種のコネクタで構成することができる。第１入力端子２ａは、照明制御装置１０の駆動用の電源電圧が印加されるように構成されている。第１入力端子２ａは、電源電圧が印加されている場合、センサ装置２０の駆動用へ給電する出力端子としても機能できる。第１入力端子２ａは、照明制御装置１０の駆動用の電源電圧を直流電源１から印加されるように構成されていてもよいし、駆動用の電源電圧を照明器具３０から印加されるように構成されていてもよい。第２入力端子２ｂは、センサ装置２０からのセンサ信号が入力される。第３入力端子２ｃは、センサ装置２０からのスイッチ信号が入力される。第４入力端子２ｄは、照明制御装置１０を構成する回路の基準電位となるグランドと電気的に接続される。
【００３５】
出力端子部３は、第１出力端子３ａと、第２出力端子３ｂと、第３出力端子３ｃと、第４出力端子３ｄと、を備えている。出力端子部３は、各種のコネクタで構成することができる。第１出力端子３ａは、第１入力端子２ａと電気的に接続されている。第２出力端子３ｂは、論理和回路部８を介して、第２入力端子２ｂと電気的に接続されている。第２出力端子３ｂは、センサ装置２０からのセンサ信号が出力されるように構成されている。第３出力端子３ｃは、第３入力端子２ｃと電気的に接続されている。第３出力端子３ｃは、第３入力端子２ｃに入力されたセンサ装置２０からのスイッチ信号を、そのまま出力させることができるように構成されている。第４出力端子３ｄは、第４入力端子２ｄと電気的に接続されている。第４出力端子３ｄは、グランド電位に保持されている。
【００３６】
一対の信号線４は、照明制御装置１０と他の照明装置５２と電気的に接続するために用いられる。一対の信号線４は、他の照明装置５２との間で連携信号が伝送できるように構成されていればよい。他の照明装置５２は、制御装置４１が照明制御装置１０と同じ構造でもよいし、照明制御装置１０とセンサ装置２０とが一体化された構成でもよい。
【００３７】
第１信号端子部４ｃは、一対の信号線４と各別に電気的に接続される一対の端子を有している。第２信号端子部４ｄは、一対の信号線４と各別に電気的に接続される一対の端子を有している。第１信号端子部４ｃと第２信号端子部４ｄとは、それぞれコネクタを用いて構成することができる。第１信号端子部４ｃと第２信号端子部４ｄとは、それぞれ一方の端子を第１信号線４ａと電気的に接続させ、それぞれ他方の端子を第２信号線４ｂと電気的に接続させることができる。
【００３８】
電流制限部５は、直流電源１の正極端子１ａと、第１信号線４ａとの間に接続される。電流制限部５は、第１抵抗５ａと第１ダイオード５ｂとを電気的に直列接続させた直列回路で構成している。電流制限部５は、第１抵抗５ａと第１ダイオード５ｂとの直列回路の構造だけに限られず、直流電源１からの直流電流の大きさを所定値以下に制限できる構造であればよい。
【００３９】
連携入力部６は、一対の信号線４からの連携信号の入力を、論理和回路部８に伝達できるように構成されている。連携入力部６は、第１スイッチ６ａと、第１信号伝達部６ｂと、を備えている。第１スイッチ６ａは、一端が第１信号線４ａと電気的に接続され、他端が第１信号伝達部６ｂを介して第２信号線４ｂと電気的に接続されている。言い換えれば、連携入力部６は、第１信号伝達部６ｂが、第１スイッチ６ａを介して、一対の信号線４の間に接続されている。第１スイッチ６ａは、たとえば、ディップスイッチを利用することができる。
【００４０】
第１信号伝達部６ｂは、双方向伝達部６ｂ１と、伝達出力部６ｂ２と、を備えている。双方向伝達部６ｂ１は、第１スイッチ６ａを介して、第１信号線４ａと電気的に接続されている。双方向伝達部６ｂ１は、第１発光素子６ｂ３を逆並列に接続させた構成としている。伝達出力部６ｂ２は、受光素子を用いて構成することができる。受光素子は、フォトトランジスタを用いることができる。双方向伝達部６ｂ１は、第１信号線４ａから第２信号線４ｂへの電流信号と、第２信号線４ｂから第１信号線４ａへの電流信号の両方の電流信号で発光する。伝達出力部６ｂ２は、双方向伝達部６ｂ１の発光を受けて、信号を出力する。第１信号伝達部６ｂは、一対の信号線４の間に両方に流れる電流信号よりなる連携信号を双方向伝達部６ｂ１で受信し、伝達出力部６ｂ２から論理和回路部８に出力することができるように構成されている。言い換えれば、照明制御装置１０は、一対の信号線４の極性が無極性の状態で接続できるように構成されている。
【００４１】
連携出力部７は、センサ装置２０からのセンサ信号に基づいて、一対の信号線４を介して他の照明装置５２に連携信号を出力できるように構成されている。連携出力部７は、第２スイッチ７ａと、第２信号伝達部７ｂと、を備えている。第２スイッチ７ａは、たとえば、ディップスイッチを利用することができる。
【００４２】
第２信号伝達部７ｂは、第２抵抗７ｃと、第１フォトカプラ７ｄと、スイッチング素子７ｅと、を備えている。第１フォトカプラ７ｄは、第２発光素子７ｄ１と、第１受光素子７ｄ２と、を備えている。第１フォトカプラ７ｄは、電気信号を第２発光素子７ｄ１で光に変換し、第１受光素子７ｄ２で再び電気信号に戻す素子であり、第２発光素子７ｄ１と第１受光素子７ｄ２との間の電気的な絶縁性を確保しながら電気信号を伝達することができる。第２発光素子７ｄ１は、発光ダイオードを用いることができる。第１受光素子７ｄ２は、フォトトランジスタを用いることができる。第１受光素子７ｄ２は、第２スイッチ７ａを介して、一端が第２信号線４ｂと電気的に接続され、他端が直流電源１の負極端子１ｂと電気的に接続されている。第２信号伝達部７ｂは、第２抵抗７ｃと、第１フォトカプラ７ｄの第２発光素子７ｄ１と、スイッチング素子７ｅと、を電気的に直列に接続させている。
【００４３】
スイッチング素子７ｅは、たとえば、ＭＯＳＦＥＴ（Metal Oxide Semiconductor Field Effect Transistor）などで構成することができる。スイッチング素子７ｅは、ゲート端子が第２入力端子２ｂと電気的に接続されている。スイッチング素子７ｅは、ドレイン端子がグランド端子と電気的に接続されている。スイッチング素子７ｅは、ソース端子が第１フォトカプラ７ｄの第２発光素子７ｄ１のアノード端子と電気的に接続されている。第１フォトカプラ７ｄは、第１受光素子７ｄ２が第２スイッチ７ａを介して、第２信号線４ｂと直流電源１の負極端子１ｂとの間に接続されている。
【００４４】
スイッチング素子７ｅは、センサ装置２０のセンサ信号がハイレベルであれば、オン状態となる。言い換えれば、スイッチング素子７ｅは、センサ装置２０から入力端子部２にセンサ信号が入力された場合、オン状態となる。第１フォトカプラ７ｄは、スイッチング素子７ｅがオン状態になると、第２発光素子７ｄ１が発光する。第１フォトカプラ７ｄは、第２発光素子７ｄ１の発光で、第１受光素子７ｄ２が導通状態となる。第２スイッチ７ａは、オン状態の場合、一対の信号線４に印加されている所定電圧により、第１受光素子７ｄ２を介して、直流電源１の負極端子１ｂに電流を流すことができる。
【００４５】
第２信号伝達部７ｂは、人感知センサ２１が人の存在を感知しない場合、センサ信号がローレベルで、スイッチング素子７ｅがオフ状態となる。言い換えれば、第２信号伝達部７ｂは、人感知センサ２１が人の存在を感知しない場合、入力端子部２にセンサ信号が入力されず、スイッチング素子７ｅがオフ状態となる。連携出力部７では、第２スイッチ７ａがオン状態の場合でも、スイッチング素子７ｅがオフ状態のため、第１受光素子７ｄ２を介して、直流電源１の負極端子１ｂへの電流が流れない。連携出力部７では、第２スイッチ７ａをオフ状態にした場合、入力端子部２へのセンサ信号のハイレベル、ローレベルに関わらず、第２スイッチ７ａを介して、直流電源１の負極端子１ｂへ電流が流れない。
【００４６】
論理和回路部８は、センサ信号と連携信号のいずれか一方がハイレベルになれば、制御信号を出力する。論理和回路部８は、適宜のロジックＩＣを用いて構成することができる。論理和回路部８は、センサ装置２０が照明器具３０と直接接続された場合と同様に、センサ信号と制御信号とを実質的に同じ電気信号となるように構成していることが好ましい。
【００４７】
以下では、本実施形態の照明制御装置１０の動作について説明する。
【００４８】
照明制御装置１０は、第１スイッチ６ａをオン状態、かつ第２スイッチ７ａをオン状態に設定した第１状態について説明する。照明制御装置１０は、第１状態の場合、センサ装置２０からセンサ信号が入力端子部２に入力されると、論理和回路部８を介して、出力端子部３から制御信号を照明器具３０へ出力させることで、照明器具３０を制御させることができる。
【００４９】
照明制御装置１０は、第１状態の場合、センサ信号が入力端子部２に入力されると、連携出力部７が一対の信号線４に連携信号を出力する。照明制御装置１０は、連携信号により、一対の信号線４で接続された他の照明装置５２を、照明制御装置１０と連携させて動作させることができる。
【００５０】
照明制御装置１０は、第１状態の場合、センサ装置２０からセンサ信号が入力端子部２に入力されていない場合でも、他の照明装置５２からの連携信号で照明器具３０を点灯させる。照明制御装置１０は、連携信号に基づいて、論理和回路部８が出力端子部３から照明器具３０へ制御信号を出力させることで、照明器具３０を制御させることができる。
【００５１】
次に、照明制御装置１０は、第１スイッチ６ａをオフ状態、かつ第２スイッチ７ａをオン状態に設定した第２状態について説明する。照明制御装置１０は、第２状態の場合、センサ装置２０からセンサ信号が入力端子部２に入力されると、論理和回路部８を介して、出力端子部３から制御信号を照明器具３０へ出力させることで、照明器具３０を制御させることができる。
【００５２】
照明制御装置１０は、第２状態の場合、センサ信号が入力端子部２に入力されると、連携出力部７が一対の信号線４に連携信号を出力する。照明制御装置１０は、連携信号により、一対の信号線４で接続された他の照明装置５２を、照明制御装置１０と連携させて動作させることができる。
【００５３】
照明制御装置１０は、第２状態の場合、一対の信号線４からの連携信号が連携入力部６から論理和回路部８に入力されることはない。照明制御装置１０は、他の照明装置５２からの連携信号に基づいて、照明器具３０を連動して動作させることはない。
【００５４】
次に、照明制御装置１０は、第１スイッチ６ａをオン状態、かつ第２スイッチ７ａをオフ状態に設定した第３状態について説明する。照明制御装置１０は、第３状態の場合、センサ装置２０からセンサ信号が入力端子部２に入力されると、論理和回路部８を介して、出力端子部３から制御信号を照明器具３０へ出力させることで、照明器具３０を制御させる。
【００５５】
照明制御装置１０は、第３状態の場合、センサ信号が入力端子部２に入力されても、連携出力部７が一対の信号線４に連携信号を出力しない。照明制御装置１０は、連携信号により、一対の信号線４で接続された他の照明装置５２を連携して動作させることはない。
【００５６】
照明制御装置１０は、第３状態の場合、センサ装置２０からセンサ信号が入力端子部２に入力されていない場合でも、他の照明装置５２からの連携信号で照明器具３０を点灯させる。照明制御装置１０は、連携信号に基づいて、論理和回路部８が出力端子部３から照明器具３０へ制御信号を照明器具３０へ出力させることで、照明器具３０を制御させることができる。
【００５７】
次に、照明制御装置１０は、第１スイッチ６ａをオフ状態、かつ第２スイッチ７ａをオフ状態に設定した第４状態について説明する。照明制御装置１０は、第４状態の場合、センサ装置２０からセンサ信号が入力端子部２に入力されると、論理和回路部８を介して、出力端子部３から制御信号を照明器具３０へ出力させることで、照明器具３０を制御させる。
【００５８】
照明制御装置１０は、第４状態の場合、センサ信号が入力端子部２に入力されても、連携出力部７が一対の信号線４に連携信号を出力しない。照明制御装置１０は、連携信号により、一対の信号線４で接続された他の照明装置５２を連携させて動作させることはない。照明制御装置１０は、第４状態の場合、一対の信号線４からの連携信号が連携入力部６から論理和回路部８に入力されることはない。照明制御装置１０は、他の照明装置５２からの連携信号に基づいて、照明器具３０を連動して動作させることはない。
【００５９】
本実施形態の照明制御装置１０は、第１スイッチ６ａのオンとオフ、第２スイッチ７ａのオンとオフとを、使用者が適宜に設定することで、複数の照明装置５２の各々を互いに連携させる設定を自由に行うことが可能となる。
【００６０】
以下では、４つの照明制御装置１０が一対の信号線４で電気的に接続された場合の制御動作を、図３ないし図５を用いて説明する。図３は、図３中の左端の照明制御装置１０と接続されたセンサ装置２０が人の存在を感知してセンサ信号を出力した場合の電流の流れを例示している。以下では、図３中において左端から右端の４つの照明制御装置１０を、それぞれ、第１照明制御装置１０ａ、第２照明制御装置１０ｂ、第３照明制御装置１０ｃおよび第４照明制御装置１０ｄと称する。第１照明制御装置１０ａ、第２照明制御装置１０ｂ、第３照明制御装置１０ｃおよび第４照明制御装置１０ｄそれぞれに各別に接続されるセンサ装置２０を、第１センサ装置２０ａ、第２センサ装置２０ｂ、第３センサ装置２０ｃ、第４センサ装置２０ｄとも称する。第１照明制御装置１０ａ、第２照明制御装置１０ｂ、第３照明制御装置１０ｃおよび第４照明制御装置１０ｄそれぞれに各別に接続される照明器具３０を、第１照明器具３０ａ、第２照明器具３０ｂ、第３照明器具３０ｃ、第４照明器具３０ｄとも称する。
【００６１】
第２照明器具３０ｂないし第４照明器具３０ｄそれぞれは、第１照明制御装置１０ａを基準に考えると、他の照明装置５２の一部となる。なお、第１照明制御装置１０ａないし第４照明制御装置１０ｄは、いずれも第１スイッチ６ａをオン状態、かつ第２スイッチ７ａをオン状態の第１状態にしている。
【００６２】
第１照明制御装置１０ａは、第１センサ装置２０ａから入力端子部２に入力されたセンサ信号を、論理和回路部８を介して、出力端子部３に出力させる。第１照明器具３０ａは、第１照明制御装置１０ａの出力端子部３からの制御信号に基づいて点灯する。第１照明制御装置１０ａは、第１センサ装置２０ａからのセンサ信号に基づいて、スイッチング素子７ｅがオンになり、第１照明制御装置１０ａの連携出力部７が一対の信号線４に連携信号を出力する。図３では、第１照明制御装置１０ａにおいて、電流制限部５から連携入力部６を介して連携出力部７に流れる電流の電路を二点鎖線Ａの太矢印で例示している。
【００６３】
第１照明制御装置１０ａの第２信号端子部４ｄは、一対の信号線４を介して、隣接する第２照明制御装置１０ｂの第１信号端子部４ｃと電気的に接続されている。第１照明制御装置１０ａと第２照明制御装置１０ｂとは、一対の信号線４における第１信号線４ａと第２信号線４ｂとが平行な状態で接続されている。
【００６４】
第１照明制御装置１０ａは、直流電源１の正極端子１ａが、電流制限部５を介して、第１信号線４ａと電気的に接続されている。第１照明制御装置１０ａは、直流電源１の正極端子１ａから電流制限部５、第１照明制御装置１０ａないし第４照明制御装置１０ｄの連携入力部６を介して、第１照明制御装置１０ａの連携出力部７、直流電源１の負極端子１ｂに電流が流れる電路を形成する。
【００６５】
より具体的には、電路は、第１照明制御装置１０ａの電流制限部５、第２信号端子部４ｄ、第１信号線４ａ、隣接する第２照明制御装置１０ｂの第１信号端子部４ｃが電気的に接続されるように形成される。電路は、第２照明制御装置１０ｂの連携入力部６、第２照明制御装置１０ｂの第１信号端子部４ｃ、第２信号線４ｂ、第１照明制御装置１０ａの第２信号端子部４ｄ、第１照明制御装置１０ａの連携出力部７が電気的に接続されるように形成される。図３では、第１照明制御装置１０ａの電流制限部５から第２照明制御装置１０ｂの連携出力部７を経て、第１照明制御装置１０ａの連携出力部７に至る電路を点線Ｂの太矢印で例示している。
【００６６】
第２照明制御装置１０ｂは、第２センサ装置２０ｂが人の存在を感知しない場合、センサ信号が入力されないにも関わらず、点線Ｂの太矢印の電路を流れる連携信号が連携入力部６に入力され、第２照明器具３０ｂを点灯させる。
【００６７】
第２照明制御装置１０ｂの第２信号端子部４ｄは、一対の信号線４を介して、隣接する第３照明制御装置１０ｃの第１信号端子部４ｃと電気的に接続されている。第２照明制御装置１０ｂの第２信号端子部４ｄと、第３照明制御装置１０ｃの第１信号端子部４ｃとは、一対の信号線４における第１信号線４ａと第２信号線４ｂとが交差するように接続されている。
【００６８】
第３照明制御装置１０ｃは、第１照明制御装置１０ａの電流制限部５から第３照明制御装置１０ｃの連携入力部６を経て、第２照明制御装置１０ｂ、第１照明制御装置１０ａの連携出力部７に至る電路が確保される。
【００６９】
より具体的には、電路は、第１照明制御装置１０ａの電流制限部５、第２信号端子部４ｄ、第１信号線４ａ、第２照明制御装置１０ｂ、第３照明制御装置１０ｃの第１信号端子部４ｃが電気的に接続されるように形成される。電路は、第３照明制御装置１０ｂの連携入力部６、第３照明制御装置１０ｂの第１信号端子部４ｃ、第２信号線４ｂ、第２照明制御装置１０ｂ、第１照明制御装置１０ａの連携出力部７が電気的に接続されるように形成される。図３では、第１照明制御装置１０ａの電流制限部５から第３照明制御装置１０ｃの連携入力部６を経て、第１照明制御装置１０ａの連携出力部７に至る電路を一点鎖線Ｃの太矢印で例示している。
【００７０】
第３照明制御装置１０ｃは、第３センサ装置２０が人の存在を感知しない場合、センサ信号が入力されないにも関わらず、一点鎖線Ｃの太矢印を流れる連携信号が連携入力部６に入力され、第３照明器具１０ｃを点灯させる。
【００７１】
第３照明制御装置１０ｃの第２信号端子部４ｄは、一対の信号線４を介して、隣接する第４照明制御装置１０ｄの第１信号端子部４ｃと電気的に接続されている。第３照明制御装置１０ｃの第２信号端子部４ｄと、第４照明制御装置１０ｄの第１信号端子部４ｃとは、一対の信号線４における第１信号線４ａと第２信号線４ｂとが交差するように接続されている。
【００７２】
第４照明制御装置１０ｄは、第１照明制御装置１０ａの電流制限部５から第４照明制御装置１０ｄの連携入力部６を経て、第１照明制御装置１０ａの連携出力部７に至る電路が確保される。
【００７３】
より具体的には、電路は、第１照明制御装置１０ａの電流制限部５、第２信号端子部４ｄ、第１信号線４ａ、第２照明制御装置１０ｂ、第３照明制御装置１０ｃ、第４照明制御装置１０ｄの第１信号端子部４ｃが電気的に接続されるように形成される。電路は、第４照明制御装置１０ｄの連携入力部６、第４照明制御装置１０ｄの第１信号端子部４ｃ、第２信号線４ｂ、第３照明制御装置１０ｃ、第２照明制御装置１０ｂ、第１照明制御装置１０ａの連携出力部が電気的に接続されるように形成される。図３では、第１照明制御装置１０ａの電流制限部５から第４照明制御装置１０ｄの連携入力部６を経て、第１照明制御装置１０ａの連携出力部７に至る電路を破線Ｄの太矢印で例示している。
【００７４】
第４照明制御装置１０ｄは、第４センサ装置２０ｄが人の存在を感知しない場合、センサ信号が入力されないにも関わらず、破線Ｄの太矢印を流れる連携信号が連携入力部６に入力され、第４照明器具１０ｄを点灯させる。
【００７５】
照明制御装置１０の施工現場では、複数の照明装置５２と数多くの配線が接続されるため、一対の信号線４における第１信号線４ａと第２信号線４ｂが交差した状態で接続されるような状況も予想される。本実施形態の照明制御装置１０では、第１信号伝達部６ｂが、第１信号線４ａから第２信号線４ｂへの電流信号と、第２信号線４ｂから第１信号線４ａへの電流信号の両方の電流信号を伝達させる。
【００７６】
照明制御装置１０は、複数の照明装置５２のうち、一部のセンサ装置２０の人感知センサ２１のみがセンサ信号を出力した場合であっても、総ての照明装置５２を点灯させることができる。照明制御装置１０は、一対の信号線４の接続状態に拘わらず、複数の照明装置５２を点灯させることが可能である。すなわち、照明制御装置１０は、一対の信号線４の極性が無極性の状態で接続することができる。
【００７７】
ところで、既存の照明装置では、オフィス、店舗や住宅などの使用場所、階段、トイレや廊下などの設置場所や用途によって、構造が異なる場合がある。
【００７８】
既存の照明装置は、たとえば、センサ装置からセンサ信号に応じて人を感知した場合に照明器具を点灯させ、人を感知しない場合に照明器具を消灯させる構成がある。また、既存の照明装置は、たとえば、センサ装置からセンサ信号に応じて人を感知した場合に照明器具を点灯させ、人を感知しない場合に照明器具を減光させる構成もある。既存の照明装置は、センサ装置や照明器具の制御方法が異なることで構造も大きく異なる場合もある。
【００７９】
本実施形態の照明制御装置１０は、既存の照明器具と、既存のセンサ装置との間に設けることで、複数の照明装置５２を連携して動作することができるように構成されている。言い換えれば、既存のセンサ装置と既存の照明器具とは、本実施形態の照明制御装置１０を電気的に接続させない場合、既存のセンサ装置からのセンサ信号に基づいて、既存の照明器具の点灯を制御させることができる。
【００８０】
照明システム５０では、既存のセンサ装置の構造と既存の照明器具の構造を変更することなく利用し、本実施形態の照明制御装置１０を既存のセンサ装置と既存の照明器具との間に設けることで、複数の照明装置５２と連携して動作させることができる。本実施形態の照明制御装置１０は、既存の照明装置に後付的に複数の照明装置５２と連携して動作させる機能を付与させることができる。
【００８１】
すなわち、照明装置５２は、上述の照明制御装置１０と、照明制御装置１０と電気的に接続された照明器具３０と、照明制御装置１０と電気的に接続されたセンサ装置２０と、を備えた構成としていることが好ましい。
【００８２】
本実施形態の照明制御装置１０を用いた照明システム５０では、たとえば、図４に示すように、複数の照明装置５２が連携して公共トイレ内の照明を制御できるように構成されている。図４では、第１照明制御装置１０ａないし第４照明制御装置１０ｄを備えている。照明システム５０は、公共トイレの個室５０ｂ以外に第１照明器具３０ａおよび第２照明器具３０ｂが備え付けられ、個室５０ｂそれぞれに第３照明器具３０ｃ、第４照明器具３０ｄが備え付けられている。第１照明器具３０ａは、公共トイレの入口５０ａに備え付けられている。
【００８３】
公共トイレ内の第１照明制御装置１０ａおよび第２照明制御装置１０ｂは、第１スイッチ６ａがオン状態、かつ第２スイッチ７ａがオン状態で第１状態としている。公共トイレの個室５０ｂにおける第３照明制御装置１０ｃおよび第４照明制御装置１０ｄは、第１スイッチ６ａがオン状態で、かつ第２スイッチ７ａをオフ状態の第３状態としている。
【００８４】
第１照明制御装置１０ａは、第２照明器具３０ｂ、第３照明器具３０ｃ、第４照明器具３０ｄを連携して動作させることができる。第２照明制御装置１０ｂは、第１照明器具３０ｂ、第３照明器具３０ｃ、第４照明器具３０ｄを連携して動作させることができる。第３照明制御装置１０ｃは、第１照明器具３０ａ、第２照明器具３０ｂ、第４照明器具３０ｄを点灯させることができない。第４照明制御装置１０ｄは、第１照明器具３０ａ、第２照明器具３０ｂ、第３照明器具３０ｃを点灯させることができない。
【００８５】
第１照明制御装置１０ａは、人が公共トイレに入った際、公共トイレの入口５０ａの第１センサ装置２０ａが人を感知してセンサ信号を出力し、一対の信号線４を介して、連携信号を出力させることで、全ての照明装置５２を点灯させる。
【００８６】
第１照明制御装置１０ａや第２照明制御装置１０ｂは、個室５０ｂに人が入っているだけの場合、第３照明制御装置１０ｃや第４照明制御装置１０ｄからの連携信号が出力されない。第１照明制御装置１０ａや第２照明制御装置１０ｂは、個室５０ｂに人が入っているだけの場合、所定の点灯保持時間が経過すると、第１照明器具３０ａ、第２照明器具３０ｂを消灯ないし減光させる。照明制御装置１０は、人が個室５０ｂに長い時間滞在している場合、個室５０ｂの照明装置５２以外の他の照明装置５２の不必要な点灯を抑制し、省エネルギ化を図ることができる。
【００８７】
図５は、複数の照明装置５２により、玄関５０ｃとホール５０ｄの照明を連携して制御する例を示す。図５では、第１照明制御装置１０ａないし第４照明制御装置１０ｄを備えている。玄関５０ｃに第１照明器具３０ａが備え付けられ、ホール５０ｄに第２照明器具３０ｂ、第３照明器具３０ｃ、第４照明器具３０ｄが備え付けられている。
【００８８】
玄関５０ｃにおける第１照明制御装置１０ａは、第１スイッチ６ａがオフ状態、かつ第２スイッチ７ａがオン状態で第２状態としている。ホール５０ｄにおける、第２照明制御装置１０ｂ、第３照明制御装置１０ｃおよび第４照明制御装置１０ｄそれぞれは、第１スイッチ６ａがオン状態、かつ第２スイッチ７ａをオン状態で第１状態としている。
【００８９】
第１照明制御装置１０ａは、第２照明器具３０ｂ、第３照明器具３０ｃ、第４照明器具３０ｄを連携して動作させることができる。第２照明制御装置１０ｂ、第３照明制御装置１０ｃ、第４照明制御装置１０ｄは、第１照明器具３０ａを連携して動作させることができない。
【００９０】
照明システム５０では、玄関５０ｃに人が到来し第１センサ装置２０ａが人の存在を感知した場合、全ての照明装置５２を点灯させる。第１照明制御装置１０ａは、第１センサ装置２０ａが人を感知した場合、ホール５０ｄに設けられた第２照明器具３０ｂないし第４照明器具３０ｄの全てを点灯させる。第１照明制御装置１０ａは、ホール５０ｄの第２照明制御装置１０ｂ、第３照明制御装置１０ｃ、第４照明制御装置１０ｄのいずれかから連携信号を受信しても、第１センサ装置２０ａからセンサ信号を受信しない場合、第１照明器具３０ａを点灯させない。ホール５０ｄに設けられた第２照明制御装置１０ｂ、第３照明制御装置１０ｃ、第４照明制御装置１０ｄは、いずれかからの連携信号により、第２照明器具３０ｂ、第３照明器具３０ｃ、第４照明器具３０ｄを連携して動作させることができる。
【００９１】
照明システム５０は、人が玄関５０ｃに来たら全ての照明装置５２が点灯する。照明システム５０は、人が玄関５０ｃを通過してホール５０ｄ内にだけ居る場合、玄関５０ｃの第１照明器具３０ａのみ消灯ないし減光させる。照明制御装置１０は、人が玄関５０ｃを通過してホール５０ｄ内にだけ居る場合、ホール５０ｄの照明装置５２の点灯を維持したまま、玄関５０ｃの照明装置５２における不必要な点灯を抑制し、省エネルギ化を図ることができる。
（実施形態２）
図６に示す本実施形態の照明制御装置１０は、図１に示す実施形態１の連携入力部６の構造を変えた以外は、同様の構成としている。なお、実施形態１と同様の構成には、同一の符号を付して説明は省略する。
【００９２】
本実施形態の照明制御装置１０における連携入力部６は、第１スイッチ６ａと、全波整流回路６ｃと、第２フォトカプラ６ｄと、を備えている。
【００９３】
全波整流回路６ｃは、整流作用を持つ回路であり、４つの第２ダイオード６ｃ１を組み合わせたダイオードブリッジにより構成されている。第２フォトカプラ６ｄは、第３発光素子６ｄ１と、伝達出力部６ｂ２とを備えている。
【００９４】
本実施形態の照明制御装置１０の連携入力部６は、全波整流回路６ｃの第１電流入力端６ｃｄが、第１スイッチ６ａを介して、第１信号線４ａと電気的に接続されている。全波整流回路６ｃの第２電流入力端６ｃｃは、第２信号線４ｂと電気的に接続されている。全波整流回路６ｃは、一対の信号線４の間に両方向に流れる電流信号よりなる連携信号が入力できるように構成されている。
【００９５】
第２フォトカプラ６ｄは、全波整流回路６ｃの正極側出力端６ｃａと、全波整流回路６ｃの負極側出力端６ｃｂとの間に、第３発光素子６ｄ１が順方向に接続されている。第３発光素子６ｄ１は、全波整流回路６ｃからの電気信号を光に変換し、伝達出力部６ｂ２が第３発光素子６ｄ１の光を受光して再び電気信号に変換する。伝達出力部６ｂ２は、第３発光素子６ｄ１の光を受光して電流が流れることにより、論理和回路部８に連携信号を出力させることができるように構成されている。言い換えれば、本実施形態の照明制御装置１０では、全波整流回路６ｃと第２フォトカプラ６ｄとが、第１信号伝達部６ｂを構成している。
【００９６】
本実施形態の照明制御装置１０を用いた照明システム５０は、実施形態１照明制御装置１０を用いた照明システム５０と同様に、より簡単な構造で複数の照明装置５２を連携して動作させることが可能となる。
【符号の説明】
【００９７】
１  直流電源
１ａ  正極端子
１ｂ  負極端子
２  入力端子部
３  出力端子部
４  一対の信号線
４ａ  第１信号線
４ｂ  第２信号線
６  連携入力部
６ａ  第１スイッチ
６ｂ  第１信号伝達部
７  連携出力部
７ａ  第２スイッチ
７ｂ  第２信号伝達部
８  論理和回路部
１０  照明制御装置
２０  センサ装置
３０  照明器具
４０  他の照明器具
４１  制御装置
【図１】
2017004653.tif 000003
【図２】
2017004653.tif 000004
【図３】
2017004653.tif 000005
【図４】
2017004653.tif 000006
【図５】
2017004653.tif 000007
【図６】
2017004653.tif 000008